(57)【特許請求の範囲】
【請求項１】
電気回路を入切するスイッチ本体部と、
前記スイッチ本体部と連動可能に設けられ、特定形状のタブレットの装着のみによって前記スイッチ本体部の操作を許容するロック機構部と、を備え、
前記ロック機構部は、前記タブレットを着脱可能に保持し前記スイッチ本体部に対して進退可能な操作蓋を有しており、該操作蓋には前記特定形状のタブレットの照合穴と嵌合可能な照合突起が設けられており、前記操作蓋の押圧によって前記照合穴に前記照合突起が進入することにより前記スイッチ本体部の操作を許容することを特徴とする誤操作防止スイッチ。
【請求項２】
前記照合突起は、前記操作蓋の進退方向に延びる円柱状の照合ピンから構成されていることを特徴とする請求項１に記載の誤操作防止スイッチ。
【請求項３】
前記タブレットには、操作対象となるスイッチの名称が明記されたスイッチ表示部が設けられていることを特徴とする請求項１または２のいずれか１項に記載の誤操作防止スイッチ。
【請求項４】
前記スイッチ本体部は、複数の電気回路を同時に入切するカムスイッチから構成されていることを特徴とする請求項１ないし３のいずれか１項に記載の誤操作防止スイッチ。
【発明の詳細な説明】
【技術分野】
【０００１】
この発明は、スイッチの誤認による電気回路の誤操作を防止するようにした誤操作防止スイッチに関し、とくにタブレットを使用して確実に電気回路の誤操作を防止することが可能な誤操作防止スイッチに関する。
【背景技術】
【０００２】
発変電所の配電盤室には、多数の配電盤が設置されており、ほとんどの配電盤には電源スイッチや切替スイッチなど同じ形状のスイッチが設けられている。発変電所内の作業に従事する作業者においては、各配電盤ともスイッチの名称が同一または類似していることから、スイッチの操作時にはスイッチの誤認の無いよう慎重な作業が求められている。
【０００３】
そこで、発変電所では、例えば高電圧回路の入切を行う遮断器の操作については、誤操作防止のためのタブレットを採用している。タブレットは、四角形の板状部材に照合穴が形成されており、遮断器を操作する際には別な場所に配置されている照合台から操作対象の遮断器に対応するタブレットを取外し、その取外したタブレットを遮断器が収納されている配電盤まで持参し、タブレットをその配電盤に取付けることにより誤操作の発生を防止している。
【０００４】
従来からスイッチの誤認による誤操作を防止する操作スイッチが知られている（例えば、特許文献１参照。）。この操作スイッチは、回動軸の回動をロックするロック部材を有しており、このロック部材を電磁石で移動させてロック部材の係合および離脱を行うようにしている。
【先行技術文献】
【特許文献】
【０００５】
【特許文献１】特開昭５８−５４５２３号公報
【発明の概要】
【発明が解決しようとする課題】
【０００６】
しかし、従来のタブレットは目視による単なる確認のための機能しか有していないので、スイッチの誤認によるスイッチの誤操作は後を絶たず、その都度各種方策を模索してきたものの、スイッチの誤操作を根絶するに至っていないのが現状である。つまり、タブレットの目的は、操作対象となるスイッチを確実に認識でき、いかなる場合でも誤った操作に至ることが無いようにすること必要があるが、遮断器で従来採用されていたタブレットの使用方式では、照合行為自体を省略されるなどの可能性があり、タブレットの使用がルール違反の場合には、タブレットの使用は誤操作に対して無力となるという問題がある。
【０００７】
特許文献１の操作スイッチは、電磁石を用いた電気的インターロック式の構造であり、回路構成が複雑になるとともに、経年劣化による電磁付勢不良が懸念され、信頼性の面で問題がある。したがって、電気制御を用いることなく簡易な構成で確実にスイッチの誤操作を未然に防止する技術の開発が望まれる。
【０００８】
そこで本発明は、電気制御を用いることなく簡易な構成で確実にスイッチの誤操作を未然に防止することが可能な誤操作防止スイッチを提供することを目的とする。
【課題を解決するための手段】
【００１１】
上記目的を達成するために請求項１に記載の発明は、電気回路を入切するスイッチ本体部と、前記スイッチ本体部と連動可能に設けられ、特定形状のタブレットの装着のみによって前記スイッチ本体部の操作を許容するロック機構部と、を備え、前記ロック機構部は、前記タブレットを着脱可能に保持し前記スイッチ本体部に対して進退可能な操作蓋を有しており、該操作蓋には前記特定形状のタブレットの照合穴と嵌合可能な照合突起が設けられており、前記操作蓋の押圧によって前記照合穴に前記照合突起が進入することにより前記スイッチ本体部の操作を許容することを特徴とする誤操作防止スイッチである。
【００１２】
請求項２に記載の発明は、請求項１に記載の誤操作防止スイッチにおいて、前記照合突起は、前記操作蓋の進退方向に延びる円柱状の照合ピンから構成されていることを特徴としている。
【００１３】
請求項３に記載の発明は、請求項１または２のいずれか１項に記載の誤操作防止スイッチにおいて、前記タブレットには、操作対象となるスイッチの名称が明記されたスイッチ表示部が設けられていることを特徴としている。
【００１４】
請求項４に記載の発明は、請求項１ないし３のいずれか１項に記載の誤操作防止スイッチにおいて、前記スイッチ本体部は、複数の電気回路を同時に入切するカムスイッチから構成されていることを特徴としている。
【発明の効果】
【００１５】
請求項１に記載の発明によれば、特定形状のタブレットの装着のみによってスイッチ本体部の操作を許容するロック機構部を設けるようにしたので、異なるタブレットが装着された場合はロックを解除することができず、誤認によるスイッチの誤操作を確実に防止することができる。これにより、スイッチの誤操作による例えば送配電系統の障害などの発生を未然に阻止することができ、送配電系統の信頼性を高めることができる。また、電気制御を使用しない構成としているので、ロック機構部を簡素化することができ、誤操作防止スイッチ自体の信頼性を高めることができる。
【００１６】
また、操作蓋の押圧によって照合穴に照合突起が進入することによりスイッチ本体部の操作を許容するようにしたので、押圧操作だけでロック機構部のロックを解除することができ、簡単な操作でロック解除を行うことができる。
【００１７】
請求項２に記載の発明によれば、照合突起を操作蓋の進退方向に延びる円柱状の照合ピンから構成しているので、照合突起を多角形の断面形状や複雑な断面形状にする場合よりも、ロック機構部の構成を簡素化することができる。
【００１８】
請求項３に記載の発明によれば、タブレットには操作対象となるスイッチの名称が明記された表示部が設けられているので、スイッチが多数ある場合でもスイッチとタブレットとの照合が容易となり、操作対象となるスイッチを探す時間を短縮することが可能となる。
【００１９】
請求項４に記載の発明によれば、複数の電気回路を同時に入切するカムスイッチから構成されているので、一度のスイッチ操作で多数の電気回路を入切することができる。
【図面の簡単な説明】
【００２０】
【図１】本発明の実施の形態に係わる誤操作防止スイッチのロック状態を示す断面図である。
【図２】図１の誤操作防止スイッチのロック解除状態を示す断面図である。
【図３】図１の誤操作防止スイッチのロック機構部を構成する蓋部へのタブレットの装着手順を示す斜視図である。
【図４】図１の誤操作防止スイッチの操作手順を示す斜視図であって、図４（ａ）〜（ｄ）は操作蓋の動きを示す斜視図である。
【図５】図１の誤操作防止スイッチが設けられる配電盤の正面図である。
【図６】図１の誤操作防止スイッチの変形例を示す側面図である。
【図７】図１の誤操作防止スイッチの別の変形例を示す側面図である。
【図８】図１の誤操作防止スイッチに装着されるタブレットの一例を示す正面図である。
【図９】図１の誤操作防止スイッチに装着されるタブレットの別の例を示す正面図である。
【発明を実施するための形態】
【００２１】
つぎに、この発明の実施の形態について、図面を用いて詳しく説明する。
【００２２】
図１ないし図９は、本発明の実施の形態を示している。図５に示すように、発変電所の配電盤室の床面ＦＬには、配電盤５０が設置されている。配電盤５０は、第１の配電盤５０ａと第２の配電盤５０ｂとから構成されている。第１の配電盤５０ａおよび第２の配電盤５０ｂの操作パネル５１には、複数の誤操作防止スイッチ１が設けられている。
【００２３】
図１および図２は、誤操作防止スイッチ１の詳細を示している。誤操作防止スイッチ１は、スイッチ本体部１０とロック機構部２０とから構成されている。スイッチ本体部１０は、電気回路を入切するための機能を有しており、この実施の形態においては例えば複数の電気回路を同時に入切するカムスイッチから構成されている。カムスイッチは、複数のカムと複数の電気接点を有しており、ロック機構部２０の回動軸２３ａの回動（捻回）によって同時に複数の電気回路を入切することが可能となっている。
【００２４】
ロック機構部２０は、パネル装着部２１、保持穴２２、操作ノブ２３、操作蓋２４、照合ピン２５ａ、２５ｂ、ロック用ロッド２７、バネ２８、ロック板３０を有している。パネル装着部２１の軸方向の一端部には、スイッチ本体部１０が取付けられている。パネル装着部２１の軸方向の他端部は、半径方向外方向に膨出している。操作パネル５１には、操作パネル５１を水平方向に貫通する貫通穴５１ａが形成されており、パネル装着部２１の軸方向の他端部は、操作パネル５１に固定されている。すなわち、配電盤５０内には、操作パネル５１の貫通穴５１ａを介してスイッチ本体部１０とパネル装着部２１の一部が収納されている。これにより、パネル装着部２１は、半径方向外方向に膨出する他端部のみが操作パネル５１の表面側に露出するようになっている。
【００２５】
パネル装着部２１には、軸心Ｐに沿って延びる保持穴２２が形成されている。操作ノブ２３は、軸方向に延びる回動軸２３ａを有している。保持穴２２には、操作ノブ２３の回動軸２３ａが回動可能に保持されている。回動軸２３ａの端部は、スイッチ本体部１０と連結されており、操作ノブ２３を軸心Ｐ回りに回動することにより、スイッチ本体部１０が連動し、複数の電気回路を同時に入切できるようになっている。操作ノブ２３は、作業者の手ひらで覆うことが可能な大きさに形成されており、操作ノブ２３の外周面には滑り止めが施されている。この実施の形態における操作ノブ２３は、外形が円板状に形成されているが、手による操作ノブ２３の回動操作が容易となるように、操作ノブ２３の外周部を菊型や波型に形成するのが望ましい。
【００２６】
操作ノブ２３には、図４に示すように、操作蓋２４が嵌め込み可能な嵌合溝２３ｇが形成されている。嵌合溝２３ｇは、軸心Ｐと直交する方向に延びており、操作パネル５１の表面側に開口している。操作ノブ２３の嵌合溝２３ｇの両側は、操作蓋２４と接触可能な規制壁２３ｆ、２３ｅに形成されている。規制壁２３ｆ、２３ｅは、操作蓋２４を操作ノブ２３と一体になって軸心Ｐ回りに回動させる機能を有している。操作ノブ２３の回動軸２３ａには、軸心Ｐに沿って延びるロッド収納穴２３ｂが形成されている。
【００２７】
ロッド収納穴２３ｂの一方は、操作ノブ２３の嵌合溝２３ｇの溝底に開口している。ロッド収納穴２３ｂの他方は、回動軸２３ａの中間部まで延びている。操作ノブ２３には、操作蓋２４の進退方向に延びる照合突起としての照合ピン２５ａ、２５ｂが設けられている。照合ピン２５ａと照合ピン２５ｂは、それぞれ全長にわたって断面形状が円形の円柱状に形成されている。照合ピン２５ａ、２５ｂは、タブレット２６の照合穴２６ｅ、２６ｆに対してほとんど隙間なく嵌合可能な径に設定されている。
【００２８】
図４に示すように、操作蓋２４は外形が俵形に形成されている。操作蓋２４は、上面部２４ａ、下面部２４ｂ、左側面部２４ｃ、右側面部２４ｄ、タブレット装着部２４ｅ、スライド軸２４ｉを有している。タブレット装着部２４ｅは、操作蓋２４の背面側に形成されている。タブレット装着部２４ｅは、上方に開口する凹状に形成されており、タブレット２６を左右方向から保持する保持溝２４ｆ、２４ｇと下方から保持する保持底２４ｈを有している。これにより、操作蓋２４は、タブレット２６をタブレット装着部２４ｅの上部から出し入れすることが可能となっている。操作蓋２４のタブレット装着部２４ｅの下方には、操作蓋２４を操作ノブ２３に対して軸方向に移動可能に支持するスライド軸２４ｉが設けられている。スライド軸２４ｉの一方２４ｉ１は、操作ノブ２３のスライド穴２３ｃ側に移動可能に保持されている。スライド軸２４ｉの他端部２４ｉ２は、操作蓋２４に固定されている。
【００２９】
操作蓋２４のタブレット装着部２４ｅは、操作ノブ２３に吸着可能な永久磁石から構成されており、タブレット装着部２４ｅの軸方向端面は、操作ノブ２３の嵌合溝２３ｇの溝底に吸着可能となっている。操作蓋２４の操作ノブ２３への吸着力は、バネ２８の付勢力よりも大に設定されている。これにより、操作蓋２４は作業者による外力によって軸方向に引出される以外は、操作ノブ２３の嵌合溝２３ｇに嵌合した状態となっている。
【００３０】
図３は、タブレット２６の詳細を示している。この実施の形態においては、タブレット２６とは、スイッチを手動で操作する際に、操作対象スイッチと照合するための携帯可能な照合板を意味する。タブレット２６は、合成樹脂から構成されており、例えば外形が四角形に形成されている。タブレット２６は、表面部２６ａ、背面部２６ｂ、右側面部２６ｃ、左側面部２６ｄ、照合穴２６ｅ、２６ｆ、押圧ロッド２６ｇを有している。
【００３１】
タブレット２６の右側面部２６ｃは、タブレット装着部２４ｅの保持溝２４ｆと嵌合可能となっている。タブレット２６の左側面部２６ｄは、タブレット装着部２４ｅの保持溝２４ｇと嵌合可能となっている。照合穴２６ｅ、２６ｆは、上下方向に所定の間隔をもって配置されており、表面部２６ａと背面部２６ｂとを貫通する貫通穴から構成されている。押圧ロッド２６ｇは、背面部２６ｂに設けられており、軸方向に延びている。タブレット２６の上面には、操作対象となるスイッチの名称を明記するためのスイッチ表示部２６ｈが形成されている。
【００３２】
操作ノブ２３のロッド収納穴２３ｂには、軸心Ｐと同心状に配置されたロック用ロッド２７が移動可能に収納されている。ロック用ロッド２７の一端部には、軸心Ｐに対して直交する方向に延びる係合板２７ａが設けられている。係合板２７ａは、操作ノブ２３の回動軸２３ａに形成された規制穴２３ｄを貫通して回動軸２３ａの外方まで延びている。ロック用ロッド２７の軸方向の動きは、係合板２７ａと規制穴２３ｇの内面との当接により一定距離に規制されている。ロック用ロッド２７は、ロッド収納穴２３ｂに設けられたバネ２８によって軸方向に付勢されている。係合板２７ａと規制穴２３ｇの内面との当接した状態では、ロック用ロッド２７の端面は、操作ノブ２３の嵌合溝２３ｇの溝底とほぼ同じ位置に停止するようになっている。
【００３３】
配電盤５０の操作パネル５１の裏面側には、ロック板３０が固定されている。ロック板３０は、ロック板本体３０ａと固定板３０ｂから構成されている。固定板３０ｂは、配電盤５０の操作パネル５１の裏面側に固定されている。ロック板本体３０ａは、固定板３０ｂからロック用ロッド２７に向かって延びている。ロック用ロッド２７の係合板２７ａは、タブレット２６が操作蓋２４に装着されない場合は、ロック板本体３０ａと係合状態を保っており、操作ノブ２３の軸心Ｐ回りの捻回が阻止されるようになっている。そして、タブレット２６が操作蓋２４に装着され、操作蓋２４の押圧によって照合穴２６ｅ、２６ｆに照合ピン２５ａ、２５ｂが進入した際には、ロック用ロッド２７の係合板２７ａはロック板本体３０ａとの係合が解除された状態となり、操作ノブ２３の軸心Ｐ回りの捻回（回動）が可能となっている。
【００３４】
発変電所においては、スイッチ操作時に装置の異常を認めたときには、即時にスイッチの戻し操作を行うニーズもあるため、この実施の形態においては、操作ノブ２３を即時に元の位置に戻せる構造を採用している。
【００３５】
つぎに、誤操作防止スイッチ１の操作手順および作用について説明する。
【００３６】
図４（ａ）に示すように、誤操作防止スイッチ１では、スイッチ本体部１０を動作させるためには、操作ノブ２３を軸心Ｐ回りに捻回（回動）させる必要がある。誤操作防止スイッチ１は、操作蓋２４にタブレット２６が装着されない場合は、図１に示すようにロック板本体３０ａと係合板２７ａが係合状態にあり、操作ノブ２３を軸心Ｐ回りに捻回することができない。操作蓋２４は、図４（ａ）に示すように、通常は永久磁石から構成されるタブレット装着部２４ｅによって操作ノブ２３側に密着している。
【００３７】
図４（ｂ）は、操作蓋２４を操作ノブ２３から引出した状態を示している。上述したように、操作蓋２４は、タブレット装着部２４ｅが永久磁石から構成されていることから、常時操作ノブ２３に密着した状態となっているが、作業者の手によって操作蓋２４を図４（ｂ）の矢印方向に引出すことにより、操作蓋２４を操作ノブ２３から引き離すことが可能となる。この状態では、操作蓋２４は、２本のスライド軸２４ｉによって操作ノブ２３側に支持されているので、操作蓋２４が操作ノブ２３から脱落することはない。
【００３８】
図４（ｃ）は、操作蓋２４にタブレット２６を装着する直前の状態を示している。タブレット２６は、例えば配電盤５０が設置される配電盤室以外の場所に保管されている。特定のスイッチの操作が必要な場合は、操作対象となるスイッチに対応したタブレット２６が照合台（図示略）から選択され、作業者は選択したタブレット２６を携帯して配電盤室内に入り、配電盤５０の特定のスイッチを操作することになる。タブレット２６には、スイッチの名称を記載した表示部２６ｈが設けられているので、作業者はその誤操作防止スイッチ１の操作蓋２４にタブレット２６を装着することになる。
【００３９】
図４（ｃ）においては、図３に示すように、タブレット２６は、表面部２６ａを操作蓋２４に対向させた状態でタブレット装着部２４ｅに装着される。ここで、タブレット装着部２４ｅは、タブレット２６を保持する保持溝２４ｆ、２４ｇと保持底２４ｈを有しているので、タブレット２６は左右方向および下方から支持されることになり、傾いたり倒れたりすることなく正確に位置決めされる。
【００４０】
図４（ｄ）は、操作蓋２４にタブレット２６を装着した状態を示している。タブレット２６が操作蓋２４に装着されると、図４（ｄ）の矢印に示すように、作業者によって操作蓋２４が操作ノブ２３に向かって押圧される。ここで、タブレット２６の照合穴２６ｅ、２６ｆの位置と操作ノブ２３側の照合ピン２５ａ、２５ｂの位置が合致しない場合は、照合ピン２５ａ、２５ｂがタブレット２６の背面部２６ｂと干渉し、押圧ロッド２６ｇでロック用ロッド２７を押圧することができなくなる。この状態では、ロック用ロッド２７の係合板２７ａは、ロック板本体３０ａと係合状態を保つことになり、操作ノブ２３を軸心Ｐ回りに捻回させることができない。
【００４１】
タブレット２６が操作蓋２４に装着した状態において、タブレット２６の照合穴２６ｅ、２６ｆの位置と操作ノブ２３側の照合ピン２５ａ、２５ｂの位置が合致する場合は、照合ピン２５ａ、２５ｂが照合ピン２５ａ、２５ｂに進入させることができ、押圧ロッド２６ｇでロック用ロッド２７を押圧することができる。これにより、図２に示すように、ロック用ロッド２７の係合板２７ａとロック板本体３０ａと係合状態（ロック状態）を解除することができ、操作ノブ２３を軸心Ｐ回りに捻回させることが可能となる。
【００４２】
そして、操作ノブ２３を軸心Ｐ回りに捻回させることにより、操作ノブ２３の回動軸２３ａと連動するスイッチ本体部１０が作動し、カムスイッチから構成されるスイッチ本体部１０によって複数の電気回路の入切が行われる。
【００４３】
このように、特定形状のタブレット２６の装着のみによってスイッチ本体部１０の操作を許容するロック機構部２０を設けるようにしたので、異なるタブレット２６が装着された場合はロック機構部２０のロックを解除することができず、確実にスイッチの誤操作を防止することができる。これにより、スイッチの誤操作による送配電系統の障害などの発生を未然に阻止することができ、送配電系統の信頼性を高めることができる。また、電気制御を使用しない構成としているので、ロック機構部２０を簡素化することができ、誤操作防止スイッチ１自体の信頼性を高めることができる。
【００４４】
また、操作蓋２４の押圧によって照合穴２６ｅ、２６ｆに照合ピン２５ａ、２５ｂが進入することによりスイッチ本体部１０の操作を許容するようにしたので、押圧操作だけでロック機構部２０のロックを解除することができ、簡単な操作でロック解除を行うことができる。さらに、照合突起を操作蓋２４の進退方向に延びる円柱状の照合ピン２５ａ、２５ｂから構成しているので、照合突起を多角形の断面形状や複雑な断面形状にする場合よりも、ロック機構部２０の構成を簡素化することができる。
【００４５】
タブレット２６には操作対象となるスイッチの名称を明記した表示部２６ｈが設けられているので、スイッチが多数ある場合でもスイッチとタブレット２６との照合が容易となり、操作対象となるスイッチを探す時間を短縮することが可能となる。
【００４６】
スイッチ本体部１０は、複数の電気回路を同時に入切するカムスイッチから構成されているので、一度のスイッチ操作で多数の電気回路を入切することができる。これにより、配電盤５０の操作パネル５１に多数のスイッチを設ける必要がなくなり、配電盤５０の構造を簡素化することができる。
【００４７】
また、スイッチ操作時に装置の異常を認めたときには、即時にスイッチの戻し操作を行う必要があるが、この実施の形態においては、操作ノブ２３を即時に元の位置に戻せる構造を採用しているので、装置の異常に対して素早い対応をとることができる。すなわち、スイッチの戻し操作は、図２に示すように、係合板２７ａとロック板３０とが係合していない状態で行われるので、操作ノブ２３を瞬時に元の位置に戻すことが可能となる。
【００４８】
図６および図７は、図１の変形例を示している。図１においては、配電盤５０の内部に設けられたロック板３０を利用して操作ノブ２３の捻回をロックする構成としたが、図６に示すように、操作パネル５１に形成されたロック穴５１ｂとバネ４１とを利用して係合板４０を操作パネル５１の表面側に突出させ、矢印Ｆ１方向からの外力によって係合板４０と操作パネル５１との係合を解除する構成としてもよい。また、図７に示すように、操作パネル５１に形成された凹部５１ｃにバネ４３を利用して係合板４２を係合させ、矢印Ｆ２方向からの外力によって係合板４２を揺動させることにより、係合板４２と操作パネル５１との係合を解除する構成としてもよい。
【００４９】
図８は、タブレット２６の変形例を示している。図８に示すように、タブレット２６Ａは、下底の長さＷ２が上底の長さＷ１よりも短い台形状に形成されている。タブレット２６Ａは、例えば上底の長さＷ１が２０ｍｍに設定されており、下底の長さＷ２が１８ｍｍに設定されている。また、照合穴の径ｄ１が３ｍｍに設定されている。このように構成されたタブレット２６Ａにおいては、図８に示す１０個あるマスのうち例えば４個のマスに照合穴を形成した場合は、２１０通りの照合穴の配置が可能となり、２１０種類のタブレット２６Ａを使用することができる。また、１０個あるマスのうち例えば５個のマスに照合穴を形成した場合は、２５２通りの照合穴の配置が可能となり、２５２種類のタブレット２６Ａを使用することができる。
【００５０】
図９は、タブレット２６の別の変形例を示している。図９に示すように、タブレット２６Ｂは、横の長さがＷ２で縦の長さがＨからなる長方形状に形成されている。タブレット２６Ｂは、例えば横の長さＷ２が１８ｍｍに設定されており、高さ方向の長さＨが２０ｍｍに設定されている。また、照合穴の径ｄ２が２ｍｍに設定されている。このように構成されたタブレット２６Ｂにおいては、図９に示す１３個あるマスのうち例えば３個のマスに照合穴を形成した場合は、２８６通りの照合穴の配置が可能となり、２８６種類のタブレット２６Ａを使用することができる。また、１３個あるマスのうち例えば４個のマスに照合穴を形成した場合は、７１５通りの照合穴の配置が可能となり、７１５種類のタブレット２６Ａを使用することができる。
【００５１】
以上、この発明の実施の形態を詳述してきたが、具体的な構成は上記の実施の形態に限られるものではなく、この発明の要旨を逸脱しない範囲の設計の変更等があっても、この発明に含まれる。例えば、実施の形態では、タブレット２６に押圧ロッド２６ｇを形成し、押圧ロッド２６ｇを介してロック用ロッド２７を移動させる構成としたが、ロック用ロッド２７を操作ノブ２３から操作蓋２４側に突出させ、ロック用ロッド２７を直接タブレットで押圧する構成としてもよい。このようにすることで、ロック用ロッド２７を直接タブレットで押圧することが可能となり、既存をタブレットをそのまま使用することができ、新たにタブレットを製作する必要がなくなる。
【００５２】
また、照合突起の一例として照合ピン２５ａ、２５ｂについて説明したが、照合突起は照合ピン２５ａ、２５ｂに限定されることはなく、断面形状が多角形であってもよいし、複雑な断面形状をもつ構成であってもよい。さらに、この発明の実施の形態では、スイッチ本体部１０の一例としてカムスイッチに適用した場合を説明したが、スイッチ本体部１０は押圧動作で電気回路を入切する押しボタンスイッチにも適用することができる。
【００５３】
また、この実施の形態においては、誤操作防止スイッチ１を送配電系統の配電盤５０のスイッチに適用した場合を説明したが、送配電系統以外の他の電気回路に適用できることは勿論である。
【符号の説明】
【００５４】
１                誤操作防止スイッチ
１０              スイッチ本体部
２０              ロック機構部
２１              パネル装着部
２３              操作ノブ
２４              操作蓋
２５ａ            照合ピン（照合突起）
２５ｂ            照合ピン（照合突起）
２６              タブレット
２６ｅ            照合穴
２６ｆ            照合穴
２６ｈ            表示部
２７              ロック用ロッド
３０              ロック板
５０              配電盤
５１              操作パネル
【図１】
0005138015.tif 000002
【図２】
0005138015.tif 000003
【図３】
0005138015.tif 000004
【図４】
0005138015.tif 000005
【図５】
0005138015.tif 000006
【図６】
0005138015.tif 000007
【図７】
0005138015.tif 000008
【図８】
0005138015.tif 000009
【図９】
0005138015.tif 000010